(57)【要約】【課題】任意の表面形状を有するディスプレイ装置を提供する。【解決手段】ディスプレイ装置は、ディスプレイ、樹脂部材及び透明層を備える。ディスプレイは、映像が表示される第１面と、第１面の反対側に位置する第２面と、第１面から第２面に至るよう広がる側面と、を含む。樹脂部材は、ディスプレイの側面に少なくとも部分的に対向する内壁面と、内壁面に接続され、ディスプレイの第１面と同一の側に位置する第１面と、内壁面に接続され、ディスプレイの第２面と同一の側に位置する第２面と、を含む。透明層は、ディスプレイの第１面及び樹脂部材の第１面に接するよう広がる第２面と、第２面の反対側に位置する第１面と、を含む。【選択図】図２
2020201358.tif 000002
【特許請求の範囲】
【請求項１】
映像が表示される第１面と、前記第１面の反対側に位置する第２面と、前記第１面から前記第２面に至るよう広がる側面と、を含むディスプレイと、
前記ディスプレイの前記側面に少なくとも部分的に対向する内壁面と、前記内壁面に接続され、前記ディスプレイの前記第１面と同一の側に位置する第１面と、前記内壁面に接続され、前記ディスプレイの前記第２面と同一の側に位置する第２面と、を含む樹脂部材と、
前記ディスプレイの前記第１面及び前記樹脂部材の前記第１面に接するよう広がる第２面と、前記第２面の反対側に位置する第１面と、を含む透明層と、を備える、ディスプレイ装置。
【請求項２】
前記透明層は、ポリウレタン又はポリウレアを含む、請求項１に記載のディスプレイ装置。
【請求項３】
前記透明層の前記第１面のうち前記ディスプレイの前記第１面と重なる部分は、前記ディスプレイの前記第１面とは異なる形状を有する、請求項１又は２に記載のディスプレイ装置。
【請求項４】
前記ディスプレイの前記第１面は、平坦な形状を有し、
前記透明層の前記第１面のうち前記ディスプレイの前記第１面と重なる部分は、前記第２面から前記第１面へ向かう方向において凸となるよう湾曲した形状を有する、請求項３に記載のディスプレイ装置。
【請求項５】
前記透明層は、前記ディスプレイの前記側面と前記樹脂部材の前記内壁面との間に位置する充填部分を含む、請求項１乃至４のいずれか一項に記載のディスプレイ装置。
【請求項６】
前記ディスプレイの前記側面と前記樹脂部材の前記内壁面との間に位置する第１部分と、前記第１部分に接続され、前記ディスプレイの前記第１面と前記透明層の前記第１面との間に位置する第２部分と、を含むフレームを備える、請求項１乃至５のいずれか一項に記載のディスプレイ装置。
【請求項７】
表面及び開口部を有する本体部と、
前記本体部の前記開口部に位置する、請求項１乃至６のいずれか一項に記載の前記ディスプレイ装置と、を備え、
前記本体部の前記表面と前記ディスプレイ装置の前記透明層の前記第１面とが連続して広がっている、インストルメントパネル。
【請求項８】
映像が表示される第１面と、前記第１面の反対側に位置する第２面と、前記第１面から前記第２面に至るよう広がる側面と、を含むディスプレイを一対の第１金型の間に配置する工程と、
前記一対の第１金型の間に樹脂を第１圧力で供給することにより、前記ディスプレイの前記側面に少なくとも部分的に対向する内壁面と、前記内壁面に接続され、前記ディスプレイの前記第１面と同一の側に位置する第１面と、前記内壁面に接続され、前記ディスプレイの前記第２面と同一の側に位置する第２面と、を含む樹脂部材を形成する第１形成工程と、
前記ディスプレイの前記第１面及び前記樹脂部材の前記第１面に透明材料を前記第１圧力よりも低い第２圧力で供給することにより、前記ディスプレイの前記第１面及び前記樹脂部材の前記第１面に接するよう広がる第２面と、前記第２面の反対側に位置する第１面と、を含む透明層を形成する第２形成工程と、を備える、ディスプレイ装置の製造方法。
【請求項９】
前記第２形成工程は、前記ディスプレイ及び前記樹脂部材を一対の第２金型の間に配置する工程と、イソシアネート化合物とポリオール又はポリアミンとを含む前記透明材料を前記一対の第２金型の間に供給して、イソシアネート化合物とポリオール又はポリアミンとを前記一対の第２金型の間で反応させることにより、前記透明層を得る工程と、を有する、請求項８に記載のディスプレイ装置の製造方法。
【請求項１０】
前記第１形成工程において用いられる前記一対の第１金型の一方を、前記第２形成工程において前記一対の第２金型の一方として用いる、請求項９に記載のディスプレイ装置の製造方法。
【発明の詳細な説明】
【技術分野】
【０００１】
本発明は、ディスプレイ及び樹脂部材を備えるディスプレイ装置に関する。
【背景技術】
【０００２】
ディスプレイと樹脂部材とが組み合わされたディスプレイ装置が知られている。例えば特許文献１は、曲面を有する樹脂部材上にインモールド成形によってディスプレイを設けることを提案している。
【先行技術文献】
【特許文献】
【０００３】
【特許文献１】特開２００７−５３５４１６号公報
【発明の概要】
【発明が解決しようとする課題】
【０００４】
樹脂部材の曲面上にインモールド成形によってディスプレイを設ける場合、ディスプレイが可撓性を有する必要があり、ディスプレイの選択肢が制約される。また、樹脂部材にディスプレイを貼り付けるための接着剤層が必要になり、ディスプレイ装置の製造コストが高くなる。また、ディスプレイの表面に保護層を形成する場合、ディスプレイ及び樹脂部材を金型から取り出した後にディスプレイの表面をフィルムでコーティングする工程が必要になり、この点でも製造コストが高くなる。
【０００５】
本発明は、このような課題を効果的に解決し得るディスプレイ装置及びその製造方法を提供することを目的とする。
【課題を解決するための手段】
【０００６】
本発明は、映像が表示される第１面と、前記第１面の反対側に位置する第２面と、前記第１面から前記第２面に至るよう広がる側面と、を含むディスプレイと、
前記ディスプレイの前記側面に少なくとも部分的に対向する内壁面と、前記内壁面に接続され、前記ディスプレイの前記第１面と同一の側に位置する第１面と、前記内壁面に接続され、前記ディスプレイの前記第２面と同一の側に位置する第２面と、を含む樹脂部材と、
前記ディスプレイの前記第１面及び前記樹脂部材の前記第１面に接するよう広がる第２面と、前記第２面の反対側に位置する第１面と、を含む透明層と、を備える、ディスプレイ装置である。
【０００７】
本発明によるディスプレイ装置において、前記透明層は、ポリウレタン又はポリウレアを含んでいてもよい。
【０００８】
本発明によるディスプレイ装置において、前記透明層の前記第１面のうち前記ディスプレイの前記第１面と重なる部分は、前記ディスプレイの前記第１面とは異なる形状を有していてもよい。
【０００９】
本発明によるディスプレイ装置において、前記ディスプレイの前記第１面は、平坦な形状を有し、
前記透明層の前記第１面のうち前記ディスプレイの前記第１面と重なる部分は、前記第２面から前記第１面へ向かう方向において凸となるよう湾曲した形状を有していてもよい。
【００１０】
本発明によるディスプレイ装置において、前記透明層は、前記ディスプレイの前記側面と前記樹脂部材の前記内壁面との間に位置する充填部分を含んでいてもよい。
【００１１】
本発明によるディスプレイ装置は、前記ディスプレイの前記側面と前記樹脂部材の前記内壁面との間に位置する第１部分と、前記第１部分に接続され、前記ディスプレイの前記第１面と前記透明層の前記第１面との間に位置する第２部分と、を含むフレームを備えていてもよい。
【００１２】
本発明は、表面及び開口部を有する本体部と、
前記本体部の前記開口部に位置する、上記記載のディスプレイ装置と、を備え、
前記本体部の前記表面と前記ディスプレイ装置の前記透明層の前記第１面とが連続して広がっている、インストルメントパネルである。
【００１３】
本発明は、映像が表示される第１面と、前記第１面の反対側に位置する第２面と、前記第１面から前記第２面に至るよう広がる側面と、を含むディスプレイを一対の第１金型の間に配置する工程と、
前記一対の第１金型の間に樹脂を第１圧力で供給することにより、前記ディスプレイの前記側面に少なくとも部分的に対向する内壁面と、前記内壁面に接続され、前記ディスプレイの前記第１面と同一の側に位置する第１面と、前記内壁面に接続され、前記ディスプレイの前記第２面と同一の側に位置する第２面と、を含む樹脂部材を形成する第１形成工程と、
前記ディスプレイの前記第１面及び前記樹脂部材の前記第１面に透明材料を前記第１圧力よりも低い第２圧力で供給することにより、前記ディスプレイの前記第１面及び前記樹脂部材の前記第１面に接するよう広がる第２面と、前記第２面の反対側に位置する第１面と、を含む透明層を形成する第２形成工程と、を備える、ディスプレイ装置の製造方法である。
【００１４】
本発明によるディスプレイ装置の製造方法において、前記第２形成項工程は、前記ディスプレイ及び前記樹脂部材を一対の第２金型の間に配置する工程と、イソシアネート化合物とポリオール又はポリアミンとを含む前記透明材料を前記一対の第２金型の間に供給して、イソシアネート化合物とポリオール又はポリアミンとを前記一対の第２金型の間で反応させることにより、前記透明層を得る工程と、を有していてもよい。
【００１５】
本発明によるディスプレイ装置の製造方法において、前記第１形成工程において用いられる前記一対の第１金型の一方を、前記第２形成工程において前記一対の第２金型の一方として用いてもよい。
【発明の効果】
【００１６】
本発明によれば、任意の表面形状を有するディスプレイ装置を提供することができる。
【図面の簡単な説明】
【００１７】
【図１】本発明の実施の形態におけるディスプレイ装置を備えるインストルメントパネルを示す斜視図である。
【図２】図１に示すディスプレイ装置をII−II方向から見た場合を示す断面図である。
【図３】ディスプレイ装置の分解図である。
【図４】樹脂部材を形成する工程を説明するための図である。
【図５】樹脂部材を形成する工程を説明するための図である。
【図６】透明層を形成する工程を説明するための図である。
【図７】透明層を形成する工程を説明するための図である。
【図８】ディスプレイ装置の一変形例を示す断面図である。
【図９】ディスプレイ装置の一変形例を示す断面図である。
【図１０】ディスプレイ装置の一変形例を示す断面図である。
【図１１】ディスプレイ装置の一変形例を示す断面図である。
【図１２】ディスプレイ装置の一変形例を示す断面図である。
【発明を実施するための形態】
【００１８】
以下、図面を参照して本発明の一実施の形態について説明する。なお、本件明細書に添付する図面においては、理解のしやすさの便宜上、適宜縮尺および縦横の寸法比等を、実物のそれらから変更し誇張してある。
【００１９】
（インストルメントパネル）
図１は、自動車のインストルメントパネル１０を示す斜視図である。インストルメントパネル１０は、表面１２及び開口部１３を有する本体部１１と、本体部１１の開口部１３に位置するディスプレイ装置２０と、を備える。
【００２０】
本体部１１は、樹脂を含む部材である。本体部１１の樹脂の例としては、ＰＣ樹脂（ポリカーボネート樹脂）、ＡＢＳ樹脂（アクリロニトリル−ブタジエン−スチレン共重合合成樹脂）、ＰＣ樹脂とＡＢＳ樹脂の混合樹脂などの熱可塑性樹脂を挙げることができる。本体部１１は、例えば射出成形法によって作製される。
【００２１】
本体部１１の表面１２は、図１に示すように湾曲した形状を有していてもよい。若しくは、図示はしないが、表面１２は平坦な形状を有していてもよい。また、表面１２には、シボや梨地などの凹凸の模様が形成されていてもよい。また、表面１２には保護層や塗装が設けられていてもよい。本体部１１の開口部１３は、本体部１１を貫通するように表面１２に形成されている。
【００２２】
ディスプレイ装置２０は、本体部１１の表面１２と連続した表面を有しているように視認されることが好ましい。例えば、本体部１１の表面１２が湾曲した形状を有する場合、ディスプレイ装置２０の表面も、本体部１１の表面１２と連続するように湾曲した形状を有することが好ましい。これにより、インストルメントパネル１０の意匠性を高めることができる。以下、ディスプレイ装置２０について説明する。
【００２３】
（ディスプレイ装置）
図２は、図１に示すディスプレイ装置２０をII−II方向から見た場合を示す断面図である。ディスプレイ装置２０は、ディスプレイ３０、樹脂部材４０及び透明層５０を備える。
【００２４】
ディスプレイ３０は、映像を表示することができる部品である。ディスプレイ３０の例としては、液晶ディスプレイ、有機ＥＬディスプレイ、マイクロＬＥＤディスプレイ、量子ドットディスプレイなどを挙げることができる。
【００２５】
ディスプレイ３０は、映像が表示される第１面３１と、第１面３１の反対側に位置する第２面３２と、第１面３１から第２面３２に至るよう広がる側面３３と、を含む。第１面３１は本体部１１の表面１２側に位置し、第２面３２は本体部１１の表面１２の反対側に位置する。以下の説明において、本体部１１の表面１２の側のことを外側とも称し、本体部１１の表面１２の反対側のことを内側とも称する。
【００２６】
第１面３１は、図２に示すように平坦な形状を有していてもよい。若しくは、図示はしないが、第１面３１は湾曲した形状を有していてもよい。
【００２７】
樹脂部材４０は、ディスプレイ３０をその側面３３の側から支持する部材である。樹脂部材４０は、内壁面４４、第１面４１及び第２面４２を含む。内壁面４４は、ディスプレイ３０の側面３３に少なくとも部分的に対向している。図２に示す例において、樹脂部材４０の内壁面４４はディスプレイ３０の側面３３の一部に接している。
【００２８】
図２に示すように、樹脂部材４０の第１面４１は、ディスプレイ３０の第１面３１と同一の側に位置し、第２面４２は、ディスプレイ３０の第２面３２と同一の側に位置している。第１面４１及び第２面４２は内壁面４４に接続されている。好ましくは、樹脂部材４０の第１面４１及び第２面４２は、ディスプレイ装置２０の厚み方向においてディスプレイ３０の第１面３１及び第２面３２に重なっていない。これにより、ディスプレイ３０の第１面３１及び第２面３２が樹脂部材４０から露出するようになる。
【００２９】
樹脂部材４０の第１面４１は、図２に示すように平坦な形状を有していてもよい。若しくは、図示はしないが、第１面４１は湾曲した形状を有していてもよい。また、第１面４１には、シボや梨地などの凹凸の模様が形成されていてもよい。また、第１面４１は、図２に示すようにディスプレイ３０の第１面３１よりも外側に位置していてもよい。同様に、第２面４２は、ディスプレイ３０の第２面３２よりも外側に位置していてもよい。
【００３０】
図３は、ディスプレイ装置２０のディスプレイ３０、樹脂部材４０及び透明層５０を仮想的に分解した場合の一例を示す図である。図３に示すように、樹脂部材４０は、ディスプレイ３０が嵌められる開口部４３を有する枠状の部材であってもよい。この場合、樹脂部材４０の内壁面４４が開口部４３の輪郭を画成する。
【００３１】
樹脂部材４０を構成する樹脂の例としては、インストルメントパネル１０の本体部１１と同様に、ＰＣ樹脂、ＡＢＳ樹脂、ＰＣ樹脂とＡＢＳ樹脂の混合樹脂などの熱可塑性樹脂を挙げることができる。樹脂部材４０は、本体部１１と一体的に構成されていてもよく、若しくは、本体部１１とは別個の部材であってもよい。樹脂部材４０の厚みは、例えば０．５ｍｍ以上２０ｍｍ以下である。
【００３２】
透明層５０は、ディスプレイ３０及び樹脂部材４０の両方に跨るように広がる層である。透明層５０は、ディスプレイ３０の第１面３１及び樹脂部材４０の第１面４１に接するよう広がる第２面５２と、第２面５２の反対側に位置する第１面５１と、を含んでいる。図２に示す例においては、透明層５０の第１面５１がディスプレイ装置２０の外側の表面を構成している。
【００３３】
透明層５０は、ディスプレイ３０からの映像が、透明層５０を介して視認され得るように構成されている。透明層５０のうちディスプレイ３０と重なる部分の全光線透過率は、例えば６０％以上である。全光線透過率は、ＪＩＳ  Ｋ  ７３６１−１に準拠した測定器によって測定され得る。透明層５０の厚みは、２ｍｍ以下であってもよい。また、透明層５０の厚みは、０．１ｍｍ以上であってもよい。
【００３４】
透明層５０を構成する透明材料の例としては、二液硬化型材料を用いることができる。二液硬化型材料とは、主剤を構成する第１の液と、硬化剤を構成する第２の液とが反応することにより生成される硬化物であり、例えば塗料として用いられ得る。透明層５０を構成する二液硬化型材料の例としては、ポリウレタン、ポリウレアなどを挙げることができる。ポリウレタンは、主剤としてのポリオールと、硬化剤としてのイソシアネート化合物とが反応することにより生成される硬化物である。ポリウレアは、主剤としてのポリアミンと、硬化剤としてのイソシアネート化合物とが反応することにより生成される硬化物である。
【００３５】
透明層５０の第１面５１の形状は、ディスプレイ装置２０やインストルメントパネル１０に求められる意匠性に応じて任意に設定され得る。好ましくは、透明層５０の第１面５１は、本体部１１の表面１２と連続して広がっている。「連続」とは、本体部１１の表面１２と透明層５０の第１面５１との間の段差が１ｍｍ以下であることを意味する。
【００３６】
透明層５０の第１面５１のうちディスプレイ３０の第１面３１と重なる部分は、ディスプレイ３０の第１面３１とは異なる形状を有していてもよい。図２に示す例において、ディスプレイ３０の第１面３１は、平坦な形状を有し、透明層５０の第１面５１のうちディスプレイ３０の第１面３１と重なる部分は、第２面５２から第１面５１へ向かう方向において、すなわち外側へ凸となるよう湾曲した形状を有する。
【００３７】
（ディスプレイ装置の製造方法）
次に、上述のディスプレイ装置２０の製造方法について、図４乃至図７を参照して説明する。
【００３８】
まず、図４に示すように一対の第１金型７１，７２を準備する。一対の第１金型７１，７２は、例えば、第１可動側ダイプレート８１に設置されている第１可動側金型７１と、第１固定側ダイプレート８２に設置されている第１固定側金型７２とを含む。続いて、一対の第１金型７１，７２の間に、例えば第１可動側金型７１側にディスプレイ３０を配置する。
【００３９】
続いて、図５に示すように、流動性を有する高温の樹脂７４を、第１供給部７３を用いて一対の第１金型７１，７２の間に第１圧力Ｐ１で供給する第１形成工程を実施する。これにより、ディスプレイ３０の側方に上述の樹脂部材４０を形成することができる。
【００４０】
続いて、透明層５０を形成する第２形成工程を実施する。まず、図６に示すように一対の第２金型７６，７７を準備する。一対の第２金型７６，７７は、例えば、第２可動側ダイプレート８６に設置されている第２可動側金型７６と、第２固定側ダイプレート８７に設置されている第２固定側金型７７とを含む。続いて、一対の第２金型７６，７７の間に、例えば第２可動側金型７６側にディスプレイ３０及び樹脂部材４０を配置する。
【００４１】
なお、第２形成工程において用いられる第２可動側金型７６及び第２可動側ダイプレート８６として、第１形成工程において用いられる第１可動側金型７１及び第１可動側ダイプレート８１が用いられてもよい。例えば、一対の第１金型７１，７２の間に樹脂部材４０を形成した後、第１可動側金型７１が図６のように第２固定側金型７７に対向するように第１可動側ダイプレート８１を移動させてもよい。例えば、まず、第１固定側金型７２と第２固定側金型７７との間において第１可動側金型７１が第１固定側金型７２と対向するように第１可動側金型７１及び第１可動側ダイプレート８１を配置した状態で、第１可動側金型７１と第１固定側金型７２との間に樹脂部材４０を形成する。その後、第１可動側ダイプレート８１を１８０°にわたって回転させて第１可動側金型７１と第２固定側金型７７とを対向させる。
【００４２】
続いて、図７に示すように、流動性を有する透明材料７９を、第２供給部７８を用いて一対の第２金型７６，７７の間に第２圧力Ｐ２で供給する。透明材料７９は、上述の二液硬化型材料であり、主剤Ｒ１としてのポリオール又はポリアミンと、硬化剤Ｒ２としてのイソシアネート化合物とを含む。主剤Ｒ１と硬化剤Ｒ２とを一対の第２金型７６，７７の間で反応させることにより、ディスプレイ３０の第１面３１及び樹脂部材４０の第１面４１に接するよう広がる第２面５２を含む透明層５０を形成することができる。透明層５０の第１面５１は、第２固定側金型７７に対応した任意の形状を有する。
【００４３】
ポリウレタン、ポリウレアなどを構成するための透明材料７９は、樹脂部材４０を構成するＰＣ樹脂、ＡＢＳ樹脂に比べて、低温においても高い流動性を有する。このため、一対の第２金型７６，７７の間に透明材料７９を供給する際の第２圧力Ｐ２は、一対の第１金型７１，７２の間に樹脂７４を供給する際の第１圧力Ｐ１よりも低くてもよい。また、透明材料７９は、常温で、例えば３０℃以下の温度で一対の第２金型７６，７７の間に供給されてもよい。
【００４４】
本実施の形態によれば、ディスプレイ３０の第１面３１及び樹脂部材４０の第１面４１に跨るように一体的に透明層５０を形成することができるので、ディスプレイ装置２０の製造コストを低くすることができる。また、ディスプレイ３０及び樹脂部材４０と透明層５０との間に接着剤層を設けることなく透明層５０をディスプレイ３０及び樹脂部材４０に密着させることができ、この点も製造コストの低減に寄与し得る。
【００４５】
また、本実施の形態によれば、透明層５０を構成する主剤Ｒ１と硬化剤Ｒ２とを含む透明材料７９を一対の第２金型７６，７７の間で反応させることにより、透明層５０の第１面５１に、第２固定側金型７７に対応した任意の形状を付与することができる。例えば、インストルメントパネル１０の本体部１１の表面１２に連続した湾曲形状などを付与することができる。このため、ディスプレイ３０の第１面３１の形状に依らず、透明層５０の第１面５１によって構成されるディスプレイ装置２０の表面を、設計自由度の高い意匠面として容易に調整することができる。また、ポリウレタン、ポリウレアなどを構成するための透明材料７９の粘度が、樹脂部材４０を構成するＰＣ樹脂、ＡＢＳ樹脂などに比べて低いので、透明層５０の第１面５１に、第２固定側金型７７に対応した微細な形状を付与し易い。すなわち、透明材料７９は高い転写性を有する。この点も、ディスプレイ装置２０の表面の意匠性の向上に寄与し得る。
【００４６】
また、本実施の形態によれば、透明層５０がディスプレイ３０の第１面３１に接しているので、透明層５０とディスプレイ３０の第１面３１との間に隙間が存在する場合に比べて、透明層５０とディスプレイ３０の第１面３１との間で光の散乱が生じることを抑制することができる。これにより、映像の視認性を高めることができる。
【００４７】
また、本実施の形態によれば、透明層５０を構成する主剤Ｒ１と硬化剤Ｒ２とを、樹脂部材４０の場合の第１圧力Ｐ１に比べて低い第２圧力Ｐ２で一対の第２金型７６，７７の間に供給することができる。このため、供給圧力が高いことに起因する残留応力が透明層５０に生じることを抑制することができる。これによって、透明層５０を透過する映像に歪が生じることを抑制することができ、この点も映像の視認性の向上に寄与し得る。
【００４８】
また、本実施の形態によれば、第２形成工程において用いられる第２可動側金型７６及び第２可動側ダイプレート８６として、第１形成工程において用いられる第１可動側金型７１及び第１可動側ダイプレート８１を用いることができる。これにより、ディスプレイ３０の側方に樹脂部材４０を形成した後、ディスプレイ３０及び樹脂部材４０を金型から取り出すことなく、ディスプレイ３０及び樹脂部材４０に接する透明層５０を形成することができる。これにより、ディスプレイ装置２０の製造工程を簡略化することができ、製造コストを低くすることができる。
【００４９】
なお、上述した実施の形態に対して様々な変更を加えることが可能である。以下、必要に応じて図面を参照しながら、変形例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。また、上述した実施の形態において得られる作用効果が変形例においても得られることが明らかである場合、その説明を省略することもある。
【００５０】
（第１の変形例）
上述の実施の形態においては、ディスプレイ３０の側面３３と樹脂部材４０の内壁面４４とが接している例を示した。しかしながら、これに限られることはなく、図８に示すように、ディスプレイ３０の側面３３と樹脂部材４０の内壁面４４との間に部分的に隙間が存在していてもよい。例えば、ディスプレイ３０の側面３３は、隙間を空けて内壁面４４と対向する第１側面３３１と、内壁面４４に接する第２側面３３２とを含んでいてもよい。第１側面３３１は、第２側面３３２よりもディスプレイ３０の中心側に位置する。図８に示す例において、第１側面３３１は第１面３１に接続されており、第２側面３３２は第２面３２に接続されている。この場合、透明層５０は、ディスプレイ３０の側面３３の第１側面３３１と樹脂部材４０の内壁面４４との間に位置する充填部分５３を含んでいてもよい。
【００５１】
図示はしないが、樹脂部材４０の内壁面４４が、隙間を空けてディスプレイ３０の側面３３と対向する第１内壁面と、側面３３に接する第２内壁面とを含んでいてもよい。
【００５２】
本変形例によれば、ディスプレイ３０の側面３３と樹脂部材４０の内壁面４４との間に隙間を形成することにより、透明層５０がディスプレイ３０及び樹脂部材４０に接する接触面積を増加させることができる。
【００５３】
（第２の変形例）
上述の実施の形態においては、樹脂部材４０の第１面４１が、ディスプレイ３０の第１面３１よりも外側に位置する例を示した。しかしながら、これに限られることはなく、図９に示すように、樹脂部材４０の第１面４１が、ディスプレイ３０の第１面３１よりも内側に位置していてもよい。また、図示はしないが、樹脂部材４０の第１面４１が、ディスプレイ３０の第１面３１と同一平面上に位置していてもよい。
【００５４】
（第３の変形例）
図１０は、ディスプレイ装置２０の一変形例を示す断面図である。図１０に示すように、ディスプレイ装置２０は、ディスプレイ３０の補強のためのフレーム６０を備えていてもよい。フレーム６０は、例えば、互いに接続された第１部分６１及び第２部分６２を含むＬ字状の部材である。第１部分６１は、ディスプレイ３０の側面３３と樹脂部材４０の内壁面４４との間に位置している。第２部分６２は、ディスプレイ３０の第１面３１と透明層５０の第１面５１との間に位置している。
【００５５】
フレーム６０は、フレーム６０とディスプレイ３０との間に隙間が存在するよう配置されていてもよい。この場合、フレーム６０とディスプレイ３０との間には透明層５０が充填されていてもよい。若しくは、透明層５０以外の材料がフレーム６０とディスプレイ３０との間に充填されていてもよい。同様に、フレーム６０は、フレーム６０と樹脂部材４０との間に隙間が存在するよう配置されていてもよい。この場合、フレーム６０と樹脂部材４０との間には透明層５０が充填されていてもよい。若しくは、透明層５０以外の材料がフレーム６０と樹脂部材４０との間に充填されていてもよい。
【００５６】
ディスプレイ３０の補強という機能を果たすことができる限りにおいて、フレーム６０の材料、形状、寸法などは任意である。例えば、フレーム６０の材料のとしてアルミニウムなどの金属材料を用いることができる。
【００５７】
（第４の変形例）
図１１は、ディスプレイ装置２０の一変形例を示す断面図である。図１１に示すように、ディスプレイ装置２０は、透明層５０の第１面５１に位置する加飾層６６を備えていてもよい。加飾層６６は、例えば、所定の色を呈する着色樹脂を含む。加飾層６６を設けることにより、ディスプレイ装置２０の意匠性を高めることができる。
【００５８】
加飾層６６は、ディスプレイ３０の第１面３１の全域を覆わないように配置される。例えば、図１１に示すようにディスプレイ装置２０がフレーム６０を備える場合、加飾層６６は、ディスプレイ装置２０の厚み方向において、ディスプレイ３０の第１面３１のうちフレーム６０と重なっている部分とは重なるが、第１面３１のうちフレーム６０と重なっていない部分とは重ならないよう配置される。これによって、加飾層６６によってディスプレイ３０の映像の視認性が妨げられることを抑制することができる。
【００５９】
（第５の変形例）
図１２は、ディスプレイ装置２０の一変形例を示す断面図である。図１２に示すように、透明層５０の第１面５１のうちディスプレイ３０の第１面３１と重なる部分は、第１面５１から第２面５２へ向かう方向において、すなわち内側へ凹となるよう湾曲した形状を有していてもよい。
【００６０】
（その他の変形例）
上述の実施の形態においては、一対の第１金型７１，７２の間に樹脂７４を供給することによって樹脂部材４０を形成する方法を示した。すなわち、インサート成形法によってディスプレイ３０の側方に樹脂部材４０を形成する例を示した。しかしながら、樹脂部材４０の形成方法がインサート成形法に限られることはなく、その他の形成方法を採用することもできる。例えば、予め形成した樹脂部材４０を、固定具などを用いてディスプレイ３０に固定してもよい。この場合であっても、ディスプレイ３０及び樹脂部材４０に跨るように上述の透明層５０を形成することにより、ディスプレイ装置２０の製造コストを低減することができる。
【００６１】
また、上述の実施の形態においては、ディスプレイ装置２０が自動車のインストルメントパネル１０において用いられる例を示したが、ディスプレイ装置２０の用途は特には限られない。例えば、デジタルサイネージや住宅設備の分野においてディスプレイ装置２０が用いられてもよい。
【符号の説明】
【００６２】
１０  インストルメントパネル
１１  本体部
１２  表面
１３  開口部
２０  ディスプレイ装置
３０  ディスプレイ
３１  第１面
３２  第２面
３３  側面
３３１  第１側面
３３２  第２側面
４０  樹脂部材
４１  第１面
４２  第２面
４３  開口部
４４  内壁面
４４１  第１内壁面
４４２  第２内壁面
５０  透明層
５１  第１面
５２  第２面
６０  フレーム
６１  第１部分
６２  第２部分
６６  加飾層
７１  第１可動側金型
７２  第１固定側金型
７３  第１供給部
７４  樹脂
７６  第２可動側金型
７７  第２固定側金型
７８  第２供給部
７９  透明材料
８１  第１可動側ダイプレート
８２  第１固定側ダイプレート
８６  第２可動側ダイプレート
８７  第２固定側ダイプレート
【図１】
2020201358.tif 000003
【図２】
2020201358.tif 000004
【図３】
2020201358.tif 000005
【図４】
2020201358.tif 000006
【図５】
2020201358.tif 000007
【図６】
2020201358.tif 000008
【図７】
2020201358.tif 000009
【図８】
2020201358.tif 000010
【図９】
2020201358.tif 000011
【図１０】
2020201358.tif 000012
【図１１】
2020201358.tif 000013
【図１２】
2020201358.tif 000014